(57)【特許請求の範囲】
【請求項１】
施設に設けられた区画に対する入室判定時に、当該区画と関連する関連設備の運転を制御する施設管理システムであって、
入室を管理する区画ごとに、当該区画内に存在する、当該区画を常在区画とする常在利用者の人数を示す常在利用者数とを記憶する区画情報記憶部と、
前記区画を利用する利用者ごとに、当該利用者が常在する区画を示す常在区画と、前記区画への入室可否を判定するための当該利用者が入室可能な前記区画を示す判定情報とを記憶する利用者情報記憶部と、
前記各区画に設けられて、利用者操作に応じて当該区画に対する当該利用者の入室可否判定を要求する判定要求を送信するリーダ端末と、
前記リーダ端末からの判定要求に応じて、前記利用者情報記憶部から取得した前記利用者の判定情報に基づき前記区画に対する当該利用者の入室可否を判定し、この判定結果が入室可を示す場合、当該区画に設けられている電気錠の開錠を指示するとともに、前記区画情報記憶部のうち前記利用者の移動先区画と移動元区画における前記常在利用者数を更新する判定処理部と、
前記区画ごとに、当該区画の利用と連動させる関連設備の運転を制御する設備運転制御部と
を備え、
前記判定処理部は、前記判定結果が入室可を示す場合、前記利用者情報記憶部から前記利用者の常在区画を取得するとともに、前記区画情報記憶部から前記利用者の移動先区画における移動先常在利用者数を取得し、前記利用者が前記移動先区画の常在利用者であって、かつ前記利用者の入室前において前記移動先常在利用者数がゼロである場合、前記移動先区画の前記関連設備の運転開始を前記設備運転制御部に対して指示し、
前記判定処理部は、前記判定結果が入室可を示す場合であっても、前記利用者の入室前において前記移動先常在利用者数がゼロであって、かつ前記利用者が前記移動先区画の常在利用者ではない場合には、前記区画に対する当該利用者の入室を不可とし、当該区画に設けられている前記電気錠に対する開錠を指示しない
ことを特徴とする施設管理システム。
【請求項２】
施設に設けられた区画に対する入室判定時に、当該区画と関連する関連設備の運転を制御する施設管理システムであって、
入室を管理する区画ごとに、当該区画内に存在する、当該区画を常在区画とする常在利用者の人数を示す常在利用者数とを記憶する区画情報記憶部と、
前記区画を利用する利用者ごとに、当該利用者が常在する区画を示す常在区画と、前記区画への入室可否を判定するための当該利用者が入室可能な前記区画を示す当該利用者が入室可能な前記区画を示す判定情報とを記憶する利用者情報記憶部と、
前記各区画に設けられて、利用者操作に応じて当該区画に対する当該利用者の入室可否判定を要求する判定要求を送信するリーダ端末と、
前記リーダ端末からの判定要求に応じて、前記利用者情報記憶部から取得した前記利用者の判定情報に基づき前記区画に対する当該利用者の入室可否を判定し、この判定結果が入室可を示す場合、当該区画に設けられている電気錠の開錠を指示するとともに、前記区画情報記憶部のうち前記利用者の移動先区画と移動元区画における前記常在利用者数を更新する判定処理部と、
前記区画ごとに、当該区画の利用と連動させる関連設備の運転を制御する設備運転制御部と
を備え、
前記判定処理部は、前記判定結果が入室可を示す場合、前記区画情報記憶部から前記利用者の移動元区画における移動元常在利用者数を取得し、前記利用者が移動元区画の常在利用者であって、かつ前記利用者の入室後において前記移動元常在利用者数がゼロである場合、前記移動元区画の前記関連設備の運転停止を前記設備運転制御部に対して指示し、
前記判定処理部は、前記判定結果が入室可を示す場合であっても、前記利用者の入室前において移動先常在利用者数がゼロであって、かつ前記利用者が前記移動先区画の常在利用者ではない場合には、前記区画に対する当該利用者の入室を不可とし、当該区画に設けられている前記電気錠に対する開錠を指示しない
ことを特徴とする施設管理システム。
【請求項３】
施設に設けられた区画に対する入室判定時に、当該区画と関連する関連設備の運転を制御する施設管理システムで用いられる施設管理方法であって、
区画情報記憶部が、入室を管理する区画ごとに、当該区画内に存在する、当該区画を常在区画とする常在利用者の人数を示す常在利用者数とを記憶する区画情報記憶ステップと、
利用者情報記憶部が、前記区画を利用する利用者ごとに、当該利用者が常在する区画を示す常在区画と、前記区画への入室可否を判定するための当該利用者が入室可能な前記区画を示す判定情報とを記憶する利用者情報記憶ステップと、
前記各区画に設けられたリーダ端末が、利用者操作に応じて当該区画に対する当該利用者の入室可否判定を要求する判定要求を送信するステップと、
判定処理部が、前記リーダ端末からの判定要求に応じて、前記利用者情報記憶部から取得した前記利用者の判定情報に基づき前記区画に対する当該利用者の入室可否を判定し、この判定結果が入室可を示す場合、当該区画に設けられている電気錠の開錠を指示するとともに、前記区画情報記憶部のうち前記利用者の移動先区画と移動元区画における前記常在利用者数を更新する判定処理ステップと、
設備運転制御部が、前記区画ごとに、当該区画の利用と連動させる関連設備の運転を制御する設備運転制御ステップと
を備え、
前記判定処理ステップは、前記判定結果が入室可を示す場合、前記利用者情報記憶部から前記利用者の常在区画を取得するとともに、前記区画情報記憶部から前記利用者の移動先区画における移動先常在利用者数を取得し、前記利用者が前記移動先区画の常在利用者であって、かつ前記利用者の入室前において前記移動先常在利用者数がゼロである場合、前記移動先区画の前記関連設備の運転開始を前記設備運転制御部に対して指示し、
前記判定処理ステップは、前記判定結果が入室可を示す場合であっても、前記利用者の入室前において前記移動先常在利用者数がゼロであって、かつ前記利用者が前記移動先区画の常在利用者ではない場合には、前記区画に対する当該利用者の入室を不可とし、当該区画に設けられている前記電気錠に対する開錠を指示しない
ことを特徴とする施設管理方法。
【請求項４】
施設に設けられた区画に対する入室判定時に、当該区画と関連する関連設備の運転を制御する施設管理システムで用いられる施設管理方法であって、
区画情報記憶部が、入室を管理する区画ごとに、当該区画内に存在する、当該区画を常在区画とする常在利用者の人数を示す常在利用者数とを記憶する区画情報記憶ステップと、
利用者情報記憶部が、前記区画を利用する利用者ごとに、当該利用者が常在する区画を示す常在区画と、前記区画への入室可否を判定するための当該利用者が入室可能な前記区画を示す判定情報とを記憶する利用者情報記憶ステップと、
前記各区画に設けられたリーダ端末が、利用者操作に応じて当該区画に対する当該利用者の入室可否判定を要求する判定要求を送信するステップと、
判定処理部が、前記リーダ端末からの判定要求に応じて、前記利用者情報記憶部から取得した前記利用者の判定情報に基づき前記区画に対する当該利用者の入室可否を判定し、この判定結果が入室可を示す場合、当該区画に設けられている電気錠の開錠を指示するとともに、前記区画情報記憶部のうち前記利用者の移動先区画と移動元区画における前記常在利用者数を更新する判定処理ステップと、
設備運転制御部が、前記区画ごとに、当該区画の利用と連動させる関連設備の運転を制御する設備運転制御ステップと
を備え、
前記判定処理ステップは、前記判定結果が入室可を示す場合、前記区画情報記憶部から前記利用者の移動元区画における移動元常在利用者数を取得し、前記利用者が移動元区画の常在利用者であって、かつ前記利用者の入室後において前記移動元常在利用者数がゼロである場合、前記移動元区画の前記関連設備の運転停止を前記設備運転制御部に対して指示し、
前記判定処理ステップは、前記判定結果が入室可を示す場合であっても、前記利用者の入室前において移動先常在利用者数がゼロであって、かつ前記利用者が前記移動先区画の常在利用者ではない場合には、前記区画に対する当該利用者の入室を不可とし、当該区画に設けられている前記電気錠に対する開錠を指示しない
ことを特徴とする施設管理方法。
【発明の詳細な説明】
【技術分野】
【０００１】
本発明は、施設管理技術に関し、特に施設に設けられた区画に対する入室判定時に、当該区画と関連する関連設備の運転を制御する施設管理技術に関する。
【背景技術】
【０００２】
施設内に設けた各区画について、これら区画を利用する利用者の入退室を管理する施設管理システムでは、個人を識別するための個人識別番号を記録したＩＤカードなどの記録媒体を利用者に予め配布しておき、利用者が任意の区画で入退室する際、当該区画の出入口に設けられたカードリーダなどのリーダ端末でＩＤカードから読み取った個人識別番号に基づいて、当該利用者に対する入退室可否を判定し、入退可の判定に応じて、当該区画のドアに設けられた電気錠を開錠するものとなっている。
【０００３】
また、このような施設管理システムでは、各区画における入退室を履歴と記録しておき、任意の区画へ最初に利用者が入室した初入時、あるいは任意の区画から最後の利用者が退室した終退時に、当該区画の照明設備や空調設備の運転開始・停止を制御し、あるいは終退時に当該区画に対する警備機器を起動し、初入時に警備機器を停止するなど、区画への入退室と連動させて当該区画に関連する関連機器を自動運転するものとなっている（例えば、特許文献２など参照）。
【先行技術文献】
【特許文献】
【０００４】
【特許文献１】特開平１１−２１０２８４号公報
【発明の概要】
【発明が解決しようとする課題】
【０００５】
このような施設管理システムでは、任意の利用者が区画に存在するか否かに応じて、当該区画に関連する関連設備を自動運転しているため、区画の一時的な利用であっても、関連設備が運転されてしまい、設備の運転面において非効率で非経済的となるという問題点があった。
例えば、ある利用者が、他の部署の区画へ所要で一時的に移動した場合、あるいは他の部署の区画を一時的に通過した場合であっても、当該区画の照明設備や空調設備の運転が開始されてしまうことになる。
【０００６】
本発明はこのような課題を解決するためのものであり、各区画に対する利用者の入退室と連動させて区画の関連設備を効率よく経済的に運転できる施設管理技術を提供することを目的としている。
【課題を解決するための手段】
【０００７】
このような目的を達成するために、本発明にかかる施設管理システムは、施設に設けられた区画に対する入室判定時に、当該区画と関連する関連設備の運転を制御する施設管理システムであって、入室を管理する区画ごとに、当該区画内に存在する、当該区画を常在区画とする常在利用者の人数を示す常在利用者数とを記憶する区画情報記憶部と、区画を利用する利用者ごとに、当該利用者が常在する区画を示す常在区画と、区画への入室可否を判定するための当該利用者が入室可能な前記区画を示す判定情報とを記憶する利用者情報記憶部と、各区画に設けられて、利用者操作に応じて当該区画に対する当該利用者の入室可否判定を要求する判定要求を送信するリーダ端末と、リーダ端末からの判定要求に応じて、利用者情報記憶部から取得した利用者の判定情報に基づき区画に対する当該利用者の入室可否を判定し、この判定結果が入室可を示す場合、当該区画に設けられている電気錠の開錠を指示するとともに、区画情報記憶部のうち利用者の移動先区画と移動元区画における常在利用者数を更新する判定処理部と、区画ごとに、当該区画の利用と連動させる関連設備の運転を制御する設備運転制御部とを備え、判定処理部で、判定結果が入室可を示す場合、利用者情報記憶部から利用者の常在区画を取得するとともに、区画情報記憶部から利用者の移動先区画における移動先常在利用者数を取得し、利用者が移動先区画の常在利用者であって、かつ利用者の入室前において移動先常在利用者数がゼロである場合、移動先区画の関連設備の運転開始を設備運転制御部に対して指示し、判定処理部で、判定結果が入室可を示す場合であっても、利用者の入室前において移動先常在利用者数がゼロであって、かつ利用者が移動先区画の常在利用者ではない場合には、当該区画に対する当該利用者の入室を不可とし、当該区画に設けられている電気錠に対する開錠を指示しないようにしたものである。
【０００８】
また、本発明にかかる他の施設管理システムは、施設に設けられた区画に対する入室判定時に、当該区画と関連する関連設備の運転を制御する施設管理システムであって、入室を管理する区画ごとに、当該区画内に存在する、当該区画を常在区画とする常在利用者の人数を示す常在利用者数とを記憶する区画情報記憶部と、区画を利用する利用者ごとに、当該利用者が常在する区画を示す常在区画と、区画への入室可否を判定するための当該利用者が入室可能な前記区画を示す判定情報とを記憶する利用者情報記憶部と、各区画に設けられて、利用者操作に応じて当該区画に対する当該利用者の入室可否判定を要求する判定要求を送信するリーダ端末と、リーダ端末からの判定要求に応じて、利用者情報記憶部から取得した利用者の判定情報に基づき区画に対する当該利用者の入室可否を判定し、この判定結果が入室可を示す場合、当該区画に設けられている電気錠の開錠を指示するとともに、区画情報記憶部のうち利用者の移動先区画と移動元区画における常在利用者数を更新する判定処理部と、区画ごとに、当該区画の利用と連動させる関連設備の運転を制御する設備運転制御部とを備え、判定処理部で、判定結果が入室可を示す場合、区画情報記憶部から利用者の移動元区画における移動元常在利用者数を取得し、利用者が移動元区画の常在利用者であって、かつ利用者の入室後において移動元常在利用者数がゼロである場合、移動元区画の関連設備の運転停止を設備運転制御部に対して指示し、判定処理部で、判定結果が入室可を示す場合であっても、利用者の入室前において移動先常在利用者数がゼロであって、かつ利用者が移動先区画の常在利用者ではない場合には、当該区画に対する当該利用者の入室を不可とし、当該区画に設けられている電気錠に対する開錠を指示しないようにしたものである。
【００１０】
また、本発明にかかる施設管理方法は、施設に設けられた区画に対する入室判定時に、当該区画と関連する関連設備の運転を制御する施設管理システムで用いられる施設管理方法であって、区画情報記憶部が、入室を管理する区画ごとに、当該区画内に存在する、当該区画を常在区画とする常在利用者の人数を示す常在利用者数とを記憶する区画情報記憶ステップと、利用者情報記憶部が、区画を利用する利用者ごとに、当該利用者が常在する区画を示す常在区画と、区画への入室可否を判定するための判定情報とを記憶する利用者情報記憶ステップと、各区画に設けられたリーダ端末が、利用者操作に応じて当該区画に対する当該利用者の入室可否判定を要求する判定要求を送信するステップと、判定処理部が、リーダ端末からの判定要求に応じて、利用者情報記憶部から取得した利用者の判定情報に基づき区画に対する当該利用者の入室可否を判定し、この判定結果が入室可を示す場合、当該区画に設けられている電気錠の開錠を指示するとともに、区画情報記憶部のうち利用者の移動先区画と移動元区画における常在利用者数を更新する判定処理ステップと、設備運転制御部が、区画ごとに、当該区画の利用と連動させる関連設備の運転を制御する設備運転制御ステップとを備え、判定処理ステップで、判定結果が入室可を示す場合、利用者情報記憶部から利用者の常在区画を取得するとともに、区画情報記憶部から利用者の移動先区画における移動先常在利用者数を取得し、利用者が移動先区画の常在利用者であって、かつ利用者の入室前において移動先常在利用者数がゼロである場合、移動先区画の関連設備の運転開始を設備運転制御部に対して指示し、判定処理ステップで、判定結果が入室可を示す場合であっても、利用者の入室前において移動先常在利用者数がゼロであって、かつ利用者が移動先区画の常在利用者ではない場合には、当該区画に対する当該利用者の入室を不可とし、当該区画に設けられている電気錠に対する開錠を指示しないようにしたものである。
【００１１】
また、本発明にかかる他の施設管理方法は、施設に設けられた区画に対する入室判定時に、当該区画と関連する関連設備の運転を制御する施設管理システムで用いられる施設管理方法であって、区画情報記憶部が、入室を管理する区画ごとに、当該区画内に存在する、当該区画を常在区画とする常在利用者の人数を示す常在利用者数とを記憶する区画情報記憶ステップと、利用者情報記憶部が、区画を利用する利用者ごとに、当該利用者が常在する区画を示す常在区画と、区画への入室可否を判定するための判定情報とを記憶する利用者情報記憶ステップと、各区画に設けられたリーダ端末が、利用者操作に応じて当該区画に対する当該利用者の入室可否判定を要求する判定要求を送信するステップと、判定処理部が、リーダ端末からの判定要求に応じて、利用者情報記憶部から取得した利用者の判定情報に基づき区画に対する当該利用者の入室可否を判定し、この判定結果が入室可を示す場合、当該区画に設けられている電気錠の開錠を指示するとともに、区画情報記憶部のうち利用者の移動先区画と移動元区画における常在利用者数を更新する判定処理ステップと、設備運転制御部が、区画ごとに、当該区画の利用と連動させる関連設備の運転を制御する設備運転制御ステップとを備え、判定処理ステップで、判定結果が入室可を示す場合、区画情報記憶部から利用者の移動元区画における移動元常在利用者数を取得し、利用者が移動元区画の常在利用者であって、かつ利用者の入室後において移動元常在利用者数がゼロである場合、移動元区画の関連設備の運転停止を設備運転制御部に対して指示し、判定処理ステップで、判定結果が入室可を示す場合であっても、利用者の入室前において移動先常在利用者数がゼロであって、かつ利用者が移動先区画の常在利用者ではない場合には、当該区画に対する当該利用者の入室を不可とし、当該区画に設けられている電気錠に対する開錠を指示しないようにしたものである。
【発明の効果】
【００１３】
本発明によれば、移動先区画の常在利用者が存在していない移動先区画に利用者が入室した場合にのみ、移動先区画の関連設備の運転を開始することができる。これにより、移動先区画の常在利用者が存在していない移動先区画に、移動先区画の常在利用者が入室した場合には、移動先区画の関連設備の運転開始を回避することができ、任意の利用者が区画に存在するか否かに応じて、当該区画に関連する関連設備を自動運転する場合と比較して、区画の関連設備を効率よく経済的に運転することが可能となる。
【図面の簡単な説明】
【００１４】
【図１】第１の実施の形態にかかる施設管理システムの構成を示すブロック図である。
【図２】区画情報の構成例である。
【図３】利用者情報の構成例である。
【図４】第１の実施の形態にかかる施設管理システムの入室判定動作を示すフローチャートである。
【図５】第１の実施の形態にかかる施設管理システムの入室判定動作例を示す説明図である。
【図６】第１の実施の形態にかかる施設管理システムの他の入室判定動作例を示す説明図である。
【図７】第２の実施の形態にかかる施設管理システムの入室判定動作を示すフローチャートである。
【図８】第２の実施の形態にかかる施設管理システムの入室判定動作例を示す説明図である。
【図９】第２の実施の形態にかかる施設管理システムの他の入室判定動作例を示す説明図である。
【発明を実施するための形態】
【００１５】
次に、本発明の実施の形態について図面を参照して説明する。
［第１の実施の形態］
まず、図１を参照して、本発明の第１の実施の形態にかかる施設管理システムについて説明する。図１は、第１の実施の形態にかかる施設管理システムの構成を示すブロック図である。
【００１６】
この施設管理システム１には、ＩＤカード１０、リーダ端末２２、電気錠２３、制御装置３０、および管理装置４０が含まれている。各区画２０のドア２１に対して設置されているリーダ端末２２および電気錠２３は、通信回線Ｌ１を介してそれぞれデータ通信可能に制御装置３０と接続されている。また、管理装置４０には、通信回線Ｌ２を介して制御装置３０がデータ通信可能に接続されている。この際、施設管理システムの規模に応じて、制御装置３０を複数設けてもよい。
【００１７】
ＩＤカード１０は、メモリカードやＩＣカードなどの携帯可能な情報処理用のカードからなり、当該ＩＤカードを所持する利用者の通行可否を判定するために必要な情報として、利用者に固有の利用者ＩＤなどの利用者識別情報を記録する機能を有している。
【００１８】
リーダ端末２２は、区画２０のドア２１ごとに併設された、カードリーダなどの入力処理装置からなり、カードスロットへＩＤカードを挿入し（接触型）、あるいはカードアンテナへＩＤカードをかざすことにより（非接触型）、利用者が提示したＩＤカード１０から利用者ＩＤなどの利用者識別情報を読み出す機能と、当該利用者識別情報と予め自己に設定されている当該ドア２１に固有のドアＩＤとを含む判定要求を、通信回線Ｌ１を介して制御装置３０へ送信する機能とを有している。
【００１９】
電気錠２３は、区画２０のドア２１ごとに設けられた電動式の錠前からなり、通信回線Ｌ１を介して受信した制御装置３０からの開錠／施錠の指示に応じて、ドア２１の開錠／施錠を行う機能を有している。なお、電気錠２３は、常時、施錠されており、制御装置３０から開錠指示が到来した場合にのみ所定期間だけ開錠するものとする。
【００２０】
制御装置３０は、設備の管理・監視を行う各種制御システムで用いられるコントローラなどの制御装置からなり、通信回線Ｌ１を介して各区画２０に設けられたリーダ端末２２からの判定要求を受信し、通信回線Ｌ２を介して管理装置４０へ通知する機能と、管理装置４０からの指示に応じて、対応する区画２０のドア２１に設けられた電気錠２３を制御する機能とを有している。
【００２１】
管理装置４０は、全体としてサーバ装置やパソコンなどの情報処理装置からなり、制御装置３０を介したリーダ端末２２からの判定要求に応じて、当該区画における利用者の入退室可否を判定し、当該区画のドアに関する開錠制御を行う機能と、各区画の利用と連動させる関連設備の運転を制御する機能とを有している。
管理装置４０には、主な機能部として、通信Ｉ／Ｆ部４１、操作入力部４２、画面表示部４３、記憶部４４、区画情報記憶部４４Ａ、利用者情報記憶部４４Ｂ、情報管理部４５、判定処理部４６、および設備運転制御部４７が設けられており、これら機能部は、内部バスを介して相互にデータやり取り可能に接続されている。
【００２２】
通信Ｉ／Ｆ部４１は、通信回線Ｌ２を介して制御装置３０などの外部装置とデータ通信を行う機能を有している。
操作入力部４２は、キーボードやマウスなどの操作入力装置からなり、オペレータ操作を検出して、情報管理部４５などの各種機能部へ出力する機能を有している。
画面表示部４３は、ＬＣＤやＰＤＰなどの画面表示装置からなり、情報管理部４５などの各種機能部から出力された各種情報を画面表示する機能を有している。
記憶部４４は、メモリやハードディスクなどの記憶装置からなり、管理装置４０での処理動作に用いる各種情報やプログラムを記憶する機能を有している。
【００２３】
区画情報記憶部４４Ａは、メモリやハードディスクなどの記憶装置からなり、入退室を管理する区画２０ごとに、当該区画を識別するための区画ＩＤと、当該区画２０内に存在する、当該区画２０を常在区画とする常在利用者の人数を示す常在利用者数との組を、区画情報として記憶する記憶部である。
図２は、区画情報の構成例である。ここでは、区画２０ごとに、区画ＩＤおよび常在利用者数と、当該区画２０に設けられているドア２１のドアＩＤと、当該区画２０の利用と連動させて運転すべき設備を示す関連設備ＩＤとの組が登録されている。
【００２４】
利用者情報記憶部４４Ｂは、メモリやハードディスクなどの記憶装置からなり、区画２０を利用する利用者ごとに、当該利用者を識別するための利用者ＩＤなどの利用者識別情報と、各区画に対する当該利用者の入室可否を判定するための判定情報と、当該利用者が常在する区画を示す常在区画ＩＤとの組を記憶する記憶部である。常在区画とは、当該利用者の席が存在する区画など、通常状態における利用者の居所となる区画であり、例えば当該利用者が所属する部署により決定してもよい。
図３は、利用者情報の構成例である。ここでは、利用者ごとに、利用者ＩＤ、判定情報としての入室可能な区画を示す入室許可区画ＩＤ、および常在区画ＩＤが登録されている。
【００２５】
情報管理部４５は、ＣＰＵとプログラムとが協働してなる演算処理部により構成されており、オペレータによる操作入力部４２での区画情報変更操作に応じて、区画情報記憶部４４Ａで記憶している区画情報を変更して保存する機能と、オペレータによる操作入力部４２での利用者情報変更操作に応じて、利用者情報記憶部４４Ｂで記憶している利用者情報を変更して保存する機能とを有している。
【００２６】
判定処理部４６は、ＣＰＵとプログラムとが協働してなる演算処理部により構成されており、制御装置３０を介して通信Ｉ／Ｆ部４１で受信したリーダ端末２２からの判定要求に応じて、判定要求で指定されたドアＩＤに基づき区画情報記憶部４４Ａから取得した当該区画２０の区画ＩＤと、判定要求で指定された利用者ＩＤに基づき利用者情報記憶部４４Ｂから取得した当該利用者の入室許可区画ＩＤとを比較し、この比較結果に応じて当該利用者に対する当該区画２０への入室可否を判定する機能と、入室可の判定結果に応じて、通信Ｉ／Ｆ部４１から制御装置３０を介して当該区画２０の電気錠２３へ、開錠を指示するとともに、区画情報記憶部のうち利用者の移動先区画と移動元区画における常在利用者数を更新する機能とを有している。
【００２７】
さらに、判定処理部４６は、判定結果が入室可を示す場合、利用者情報記憶部４４Ｂから利用者の常在区画ＩＤを取得するとともに、区画情報記憶部４４Ａから利用者の移動先区画における移動先常在利用者数を取得し、利用者が移動先区画の常在利用者であって、かつ利用者の入室前において移動先常在利用者数がゼロである場合、移動先区画の関連設備の運転開始を設備運転制御部４７に対して指示する機能と、判定結果が入室可を示す場合、区画情報記憶部４４Ａから利用者の移動元区画における移動元常在利用者数を取得し、利用者が移動元区画の常在利用者であって、かつ利用者の入室後において移動元常在利用者数がゼロである場合、移動元区画の関連設備の運転停止を設備運転制御部４７に対して指示する機能とを有している。
【００２８】
設備運転制御部４７は、ＣＰＵとプログラムとが協働してなる演算処理部により構成されており、判定処理部４６からの指示に応じて、区画２０ごとに、当該区画２０の利用と連動させる関連設備の運転を制御する機能を有している。
【００２９】
［第１の実施の形態の動作］
次に、図４を参照して、本実施の形態にかかる施設管理システムの入室判定動作について説明する。図４は、第１の実施の形態にかかる施設管理システムの入室判定動作を示すフローチャートである。
管理装置４０の判定処理部４６は、制御装置３０を介して通信Ｉ／Ｆ部４１で受信したリーダ端末２２からの判定要求に応じて、図４の入室判定処理を実行する。
【００３０】
まず、判定処理部４６は、受信した判定要求に含まれている利用者ＩＤに基づいて、当該利用者の入室許可区画ＩＤを利用者情報記憶部４４Ｂから取得し（ステップ１００）、同じく受信した判定要求に含まれているドアＩＤに基づいて、区画情報記憶部４４Ａから取得した、当該ドアＩＤと対応する区画２０を示す移動先区画ＩＤと比較する（ステップ１０１）。
【００３１】
ここで、移動先区画ＩＤが入室許可区画ＩＤに含まれていない場合（ステップ１０１：ＮＯ）、判定処理部４６は、当該移動先区画に対する当該利用者の入室は不可と判定し、一連の入室判定処理を終了する。これにより、対応するドア２１の電気錠２３は施錠されたままとなり、利用者は移動先区画へ入室することはできない。
【００３２】
一方、移動先区画ＩＤが入室許可区画ＩＤに含まれている場合（ステップ１０１：ＹＥＳ）、判定処理部４６は、当該移動先区画に対する当該利用者の入室は可能と判定し、通信Ｉ／Ｆ部４１から制御装置３０を介して対応するドア２１の電気錠２３へ開錠指示を送信する（ステップ１０２）。これにより、ドア２１の電気錠が開錠されて、利用者は移動先区画へ入室することが可能となる。
【００３３】
この後、判定処理部４６は、利用者情報記憶部４４Ｂから、利用者の常在区画ＩＤを取得するとともに（ステップ１０３）、区画情報記憶部４４Ａから、移動先区画の常在利用者数である移動先常在利用者数と、移動元区画の常在利用者数である移動元常在利用者数とを取得する（ステップ１０４）。
【００３４】
続いて、判定処理部４６は、利用者が移動先区画の常在利用者であって（ステップ１０５：ＹＥＳ）、かつ利用者の入室前において移動先常在利用者数がゼロである場合（ステップ１０６：ＹＥＳ）、区画情報記憶部４４Ａから取得した、移動先区画の関連設備ＩＤに基づいて、移動先区画の関連設備の運転開始を設備運転制御部４７に対して指示し（ステップ１０７）、区画情報記憶部４４Ａのうち、利用者の入室に関連する移動先区画および移動元区画における常在利用者数を更新する（ステップ１０８）。これにより、設備運転制御部４７により、移動先区画の関連設備の運転が開始される。
【００３５】
一方、利用者が移動先区画の常在利用者でない場合（ステップ１０５：ＮＯ）、および利用者の入室前において移動先常在利用者数がゼロでない場合（ステップ１０６：ＮＯ）、判定処理部４６は、移動先区画の関連設備の運転開始を設備運転制御部４７に対して指示せずに、ステップ１０８へ移行して、区画情報記憶部４４Ａのうち、利用者の入室に関連する移動先区画および移動元区画における常在利用者数を更新する。
【００３６】
これにより、移動先区画の関連設備において入室前の状態が継続され、例えば移動先区画に常在利用者が存在していた場合には、その関連設備の運転が継続される。また、移動先区画に常在利用者が存在していなかった場合には、移動先区画の常在利用者でない利用者が移動先区画に入室しても、その関連設備の運転は開始されず、停止状態が継続される。
【００３７】
続いて、判定処理部４６は、利用者が移動元区画の常在利用者であって（ステップ１０９：ＹＥＳ）、かつ利用者の入室後において移動元常在利用者数がゼロである場合（ステップ１１０：ＹＥＳ）、区画情報記憶部４４Ａから取得した、移動元区画の関連設備ＩＤに基づいて、移動元区画の関連設備の運転停止を設備運転制御部４７に対して指示し（ステップ１１１）、一連の入室判定処理を終了する。これにより、利用者が移動先区画へ入室後、移動元区画の常在利用者でない利用者が移動元区画に存在していても、設備運転制御部４７により、移動元区画の関連設備の運転が停止される。
【００３８】
一方、利用者が移動元区画の常在利用者でない場合（ステップ１０９：ＮＯ）、および利用者の入室後において移動元常在利用者数がゼロでない場合（ステップ１１０：ＮＯ）、判定処理部４６は、移動元区画の関連設備の運転停止を指示せずに、一連の入室判定処理を終了する。
これにより、移動元区画の関連設備において入室前の状態が継続され、例えば移動元区画に常在利用者が残っている場合には、その関連設備の運転が継続され、移動元区画に常在利用者が存在しておらず、その関連設備が運転されていなかった場合には、その関連設備の運転停止が継続される。
【００３９】
［第１の実施の形態の動作例］
図５は、第１の実施の形態にかかる施設管理システムの入室判定動作例を示す説明図である。ここでは、区画Ｒ１から区画Ｒ２へ利用者Ｐが入室する場合が例として示されている。
まず、入室前の状態において、区画Ｒ１に、常在区画が区画Ｒ２の利用者Ｐと、常在区画が区画Ｒ１の利用者Ｑとが存在しており、区画Ｒ２にはいずれの利用者も存在していない。したがって、区画Ｒ１の常在利用者数は「１」であり、区画Ｒ２の常在利用者数は「０」である。また、区画Ｒ１の関連設備が運転中であり、区画Ｒ２の関連設備は停止中である。
【００４０】
この後、利用者Ｐが区画Ｒ２へ入室した場合、利用者Ｐは移動先区画Ｒ２の常在利用者であって、かつ入室前において移動先常在利用者数がゼロであったことから、移動先区画Ｒ２の関連設備の運転が開始される。
また、利用者Ｐは移動元区画Ｒ１の常在利用者ではなく、また利用者Ｐが区画Ｒ２へ入室した後において、移動元区画Ｒ１の常在利用者である利用者Ｑが移動元区画Ｒ１に存在しており、移動元常在利用者数がゼロでないことから、移動元区画Ｒ１の関連設備の運転は継続される。
【００４１】
図６は、第１の実施の形態にかかる施設管理システムの他の入室判定動作例を示す説明図である。ここでは、区画Ｒ１から区画Ｒ２へ利用者Ｑが入室する場合が例として示されている。
まず、入室前の状態において、区画Ｒ１に、常在区画が区画Ｒ２の利用者Ｐと、常在区画が区画Ｒ１の利用者Ｑとが存在しており、区画Ｒ２にはいずれの利用者も存在していない。したがって、区画Ｒ１の常在利用者数は「１」であり、区画Ｒ２の常在利用者数は「０」である。また、区画Ｒ１の関連設備が運転中であり、区画Ｒ２の関連設備は停止中である。
【００４２】
この後、利用者Ｑが区画Ｒ２へ入室した場合、利用者Ｑは移動先区画Ｒ２の常在利用者ではないことから、移動先区画Ｒ２の関連設備の運転は開始されない。
また、利用者Ｑは移動元区画Ｒ１の常在利用者であり、かつ、利用者Ｑが区画Ｒ２へ入室した後において、移動元区画Ｒ１の常在利用者でない利用者Ｐのみが移動元区画Ｒ１に存在しており、移動元常在利用者数がゼロであることから、移動元区画Ｒ１の関連設備の運転は停止される。
【００４３】
［第１の実施の形態の効果］
このように、本実施の形態は、判定処理部４６により、判定結果が入室可を示す場合、利用者情報記憶部４４Ｂから利用者の常在区画を取得するとともに、区画情報記憶部４４Ａから利用者の移動先区画における移動先常在利用者数を取得し、利用者が移動先区画の常在利用者であって、かつ利用者の入室前において移動先常在利用者数がゼロである場合、移動先区画の関連設備の運転開始を設備運転制御部４７に対して指示するようにしたので、移動先区画の常在利用者が存在していない移動先区画に利用者が入室した場合にのみ、移動先区画の関連設備の運転を開始することができる。
【００４４】
これにより、移動先区画の常在利用者が存在していない移動先区画に、移動先区画の常在利用者が入室した場合には、移動先区画の関連設備の運転開始を回避することができ、任意の利用者が区画に存在するか否かに応じて、当該区画に関連する関連設備を自動運転する場合と比較して、区画の関連設備を効率よく経済的に運転することが可能となる。
【００４５】
また、本実施の形態では、判定処理部４６により、判定結果が入室可を示す場合、区画情報記憶部４４Ａから利用者の移動元区画における移動元常在利用者数を取得し、利用者が移動元区画の常在利用者であって、かつ利用者の入室後において移動元常在利用者数がゼロである場合、移動元区画の関連設備の運転停止を設備運転制御部４７に対して指示するようにしたので、移動元区画の常在利用者が移動元区画に存在しなくなった場合、移動元区画の関連設備の運転を直ちに停止することができる。
【００４６】
これにより、移動元区画の常在利用者が存在していない移動元区画に、移動元区画の常在利用者でない利用者だけが残った場合には、移動元区画の関連設備の運転継続を回避することができ、任意の利用者が区画に存在するか否かに応じて、当該区画に関連する関連設備を自動運転する場合と比較して、区画の関連設備を効率よく経済的に運転することが可能となる。
【００４７】
［第２の実施の形態］
次に、本発明の第２の実施の形態にかかる施設管理システムについて説明する。
本実施の形態では、移動先区画に対する利用者の入室を判定する際、移動先常在利用者数に基づいて、入室判定を行う場合について説明する。
【００４８】
本実施の形態において、判定処理部４６は、入室判定時、判定情報による判定結果が入室可を示す際、利用者の入室前において移動先常在利用者数がゼロであって、かつ利用者が移動先区画の常在利用者ではない場合、移動先区画に対して当該利用者は入室不可と判定する機能を有している。
本実施の形態にかかる施設管理システム１のうち、このほかの構成については、第１の実施の形態と同様であり、ここでの詳細な説明は省略する。
【００４９】
［第２の実施の形態の動作］
次に、図７を参照して、本実施の形態にかかる施設管理システムの入室判定動作について説明する。図７は、第２の実施の形態にかかる施設管理システムの入室判定動作を示すフローチャートであり、前述した図４と同じまたは同等部分には、同一符号を付してある。
管理装置４０の判定処理部４６は、制御装置３０を介して通信Ｉ／Ｆ部４１で受信したリーダ端末２２からの判定要求に応じて、図７の入室判定処理を実行する。
【００５０】
まず、判定処理部４６は、受信した判定要求に含まれている利用者ＩＤに基づいて、当該利用者の入室許可区画ＩＤを利用者情報記憶部４４Ｂから取得し（ステップ１００）、同じく受信した判定要求に含まれているドアＩＤに基づいて、区画情報記憶部４４Ａから取得した、当該ドアＩＤと対応する区画２０を示す移動先区画ＩＤと比較する（ステップ１０１）。
【００５１】
ここで、移動先区画ＩＤが入室許可区画ＩＤに含まれていない場合（ステップ１０１：ＮＯ）、判定処理部４６は、当該移動先区画に対する当該利用者の入室は不可と判定し、一連の入室判定処理を終了する。これにより、対応するドア２１の電気錠２３は施錠されたままとなり、利用者は移動先区画へ入室することはできない。
【００５２】
一方、移動先区画ＩＤが入室許可区画ＩＤに含まれている場合（ステップ１０１：ＹＥＳ）、判定処理部４６は、利用者情報記憶部４４Ｂから、利用者の常在区画ＩＤを取得するとともに（ステップ１０３）、区画情報記憶部４４Ａから、移動先区画の常在利用者数である移動先常在利用者数と、移動元区画の常在利用者数である移動元常在利用者数とを取得する（ステップ１０４）。
【００５３】
続いて、判定処理部４６は、利用者の入室前において移動先常在利用者数がゼロであって（ステップ２００：ＹＥＳ）、かつ利用者が移動先区画の常在利用者である場合（ステップ２０１：ＹＥＳ）、当該移動先区画に対する当該利用者の入室は可能と判定し、区画情報記憶部４４Ａから取得した、移動先区画の関連設備ＩＤに基づいて、移動先区画の関連設備の運転開始を設備運転制御部４７に対して指示するとともに（ステップ２０２）、通信Ｉ／Ｆ部４１から制御装置３０を介して対応するドア２１の電気錠２３へ開錠指示を送信する（ステップ２０３）。
【００５４】
これにより、設備運転制御部４７により、移動先区画の関連設備の運転が開始されるとともに、ドア２１の電気錠が開錠されて、利用者は移動先区画へ入室することが可能となる。したがって、入室前において移動先区画の常在利用者が存在しない場合でも、入室する利用者が移動先区画の常在利用者である場合には、移動先区画に対して当該利用者は入室可と判定され、これに応じて移動先区画の関連設備の運転も開始される。
【００５５】
一方、利用者の入室前において移動先常在利用者数がゼロであって（ステップ２００：ＹＥＳ）、利用者が移動先区画の常在利用者でない場合（ステップ２０１：ＮＯ）、判定処理部４６は、当該移動先区画に対する当該利用者の入室は不可と判定し、一連の入室判定処理を終了する。これにより、対応するドア２１の電気錠２３は施錠されたままとなり、利用者は移動先区画へ入室することはできない。したがって、利用者の移動後においても移動先区画の常在利用者が移動先区画に存在しない場合、移動先区画に対して当該利用者は入室不可と判定される。
【００５６】
また、利用者の入室前において移動先常在利用者数がゼロでない場合（ステップ２００：ＮＯ）、判定処理部４６は、移動先区画の関連設備の運転開始を設備運転制御部４７に対して指示せずに、ステップ２０３へ移行して、通信Ｉ／Ｆ部４１から制御装置３０を介して対応するドア２１の電気錠２３へ開錠指示を送信する。
これにより、ドア２１の電気錠が開錠されて、利用者は移動先区画へ入室することが可能となる。したがって、移動先区画の常在利用者が移動先区画に存在する場合には、移動先区画に対して当該利用者は入室可と判定され、これに応じて、移動先区画の関連設備の運転が継続される。
【００５７】
この後、判定処理部４６は、区画情報記憶部４４Ａのうち、利用者の入室に関連する移動先区画および移動元区画における常在利用者数を更新する（ステップ１０８）。
【００５８】
続いて、判定処理部４６は、利用者が移動元区画の常在利用者であって（ステップ１０９：ＹＥＳ）、かつ利用者の入室後において移動元常在利用者数がゼロである場合（ステップ１１０：ＹＥＳ）、区画情報記憶部４４Ａから取得した、移動元区画の関連設備ＩＤに基づいて、移動元区画の関連設備の運転停止を設備運転制御部４７に対して指示し（ステップ１１１）、一連の入室判定処理を終了する。これにより、利用者が移動先区画へ入室後、移動元区画の常在利用者でない利用者が移動元区画に存在していても、設備運転制御部４７により、移動元区画の関連設備の運転が停止される。
【００５９】
一方、利用者が移動元区画の常在利用者でない場合（ステップ１０９：ＮＯ）、および利用者の入室後において移動元常在利用者数がゼロでない場合（ステップ１１０：ＮＯ）、判定処理部４６は、移動元区画の関連設備の運転停止を指示せずに、一連の入室判定処理を終了する。
これにより、移動元区画の関連設備において入室前の状態が継続され、例えば移動元区画に常在利用者が残っている場合には、その関連設備の運転が継続され、移動元区画に常在利用者が存在しておらず、その関連設備が運転されていなかった場合には、その関連設備の運転停止が継続される。
【００６０】
［第２の実施の形態の動作例］
図８は、第２の実施の形態にかかる施設管理システムの入室判定動作例を示す説明図である。ここでは、区画Ｒ１から区画Ｒ２へ利用者Ｐが入室する場合が例として示されている。
まず、入室前の状態において、区画Ｒ１に、常在区画が区画Ｒ２の利用者Ｐと、常在区画が区画Ｒ１の利用者Ｑとが存在しており、区画Ｒ２にはいずれの利用者も存在していない。したがって、区画Ｒ１の常在利用者数は「１」であり、区画Ｒ２の常在利用者数は「０」である。また、区画Ｒ１の関連設備が運転中であり、区画Ｒ２の関連設備は停止中である。
【００６１】
この後、利用者Ｐが区画Ｒ２へ入室する場合、入室前において移動先常在利用者数がゼロであるものの、利用者Ｐは移動先区画Ｒ２の常在利用者であることから、移動先区画Ｒ２に対して利用者Ｐは入室可と判定される。
【００６２】
図９は、第２の実施の形態にかかる施設管理システムの他の入室判定動作例を示す説明図である。ここでは、区画Ｒ１から区画Ｒ２へ利用者Ｑが入室する場合が例として示されている。
まず、入室前の状態において、区画Ｒ１に、常在区画が区画Ｒ２の利用者Ｐと、常在区画が区画Ｒ１の利用者Ｑとが存在しており、区画Ｒ２にはいずれの利用者も存在していない。したがって、区画Ｒ１の常在利用者数は「１」であり、区画Ｒ２の常在利用者数は「０」である。また、区画Ｒ１の関連設備が運転中であり、区画Ｒ２の関連設備は停止中である。
【００６３】
この後、利用者Ｑが区画Ｒ２へ入室する際、入室前において移動先常在利用者数がゼロであり、かつ、利用者Ｑは移動先区画Ｒ２の常在利用者でないことから、移動先区画Ｒ２に対して利用者Ｐは入室不可と判定される。
【００６４】
［第２の実施の形態の効果］
このように、本実施の形態は、判定処理部４６で、判定情報による判定結果が入室可を示す際、利用者の入室前において移動先常在利用者数がゼロであって、かつ利用者が移動先区画の常在利用者ではない場合、区画に対して当該利用者は入室不可と判定するようにしたので、利用者の移動後においても移動先区画の常在利用者が移動先区画に存在しない場合、移動先区画に対して当該利用者は入室不可と判定することができる。
【００６５】
これにより、移動先区画の常在利用者が移動先区画に存在する場合にのみ、移動先区画の常在利用者ではない利用者の入室を許可することができ、極めて高いセキュリティ性を持つ入室判定を実現することが可能となる。
【００６６】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００６７】
１…施設管理システム、１０…ＩＤカード、２０…区画、２１…ドア、２２…リーダ端末、２３…電気錠、３０…制御装置、４０…管理装置、４１…通信Ｉ／Ｆ部、４２…操作入力部、４３…画面表示部、４４…記憶部、４４Ａ…区画情報記憶部、４４Ｂ…利用者情報記憶部、４５…情報管理部、４６…判定処理部、４７…設備運転制御部、Ｌ１，Ｌ２…通信回線。
【図１】
0005579006.tif 000002
【図２】
0005579006.tif 000003
【図３】
0005579006.tif 000004
【図４】
0005579006.tif 000005
【図５】
0005579006.tif 000006
【図６】
0005579006.tif 000007
【図７】
0005579006.tif 000008
【図８】
0005579006.tif 000009
【図９】
0005579006.tif 000010